(57)【要約】【課題】  撮像アダプタと挿入部との確実な導通を確保するとともに、挿入部をより一層細径化することができる電気的な接続構造を備える内視鏡装置を提供すること。【解決手段】ＬＥＤユニット（電気機器）１５が配され、管腔内に挿入される挿入部の先端部に着脱可能なアダプタ（撮像アダプタ）８を備える内視鏡装置１であって、ＬＥＤユニット１５と導通される第一の電極２１が、アダプタ８に配され、挿入部に配されて、アダプタ８の装着時にＬＥＤユニット１５と導通される第二の電極３１の先端側の少なくとも一部に、押圧によって変形可能とされ、かつ、押圧方向に導電性を有する第二の導電ゴム（弾性部）３３が配されている。【選択図】  図２
2006102050.tif 000002
【特許請求の範囲】
【請求項１】
電気機器が配され、管腔内に挿入される挿入部の先端部に着脱可能な撮像アダプタを備える内視鏡装置であって、
前記電気機器と導通される第一の電極が、前記撮像アダプタに配され、
前記挿入部に配されて、前記撮像アダプタの装着時に前記電気機器と導通される第二の電極の先端側の少なくとも一部に、押圧によって変形可能とされ、かつ、押圧方向に導電性を有する弾性部が配されていることを特徴とする内視鏡装置。
【請求項２】
前記第一の電極に、押圧方向に沿って凸部又は凹部が配され、
前記第二の電極に、前記凸部が又は前記凹部に挿入して押圧可能な凹部又は凸部が配されていることを特徴とする請求項１に記載の内視鏡装置。
【請求項３】
前記第二の電極が、可撓性を有して前記弾性部と積層構造とされる基板を備えていることを特徴とする請求項１又は２に記載の内視鏡装置。
【請求項４】
前記基板と前記弾性部とが、導電性接着剤にて接着されていることを特徴とする請求項３に記載の内視鏡装置。
【請求項５】
前記第二の電極が、前記弾性部の押圧方向を法線方向とする平面部を備えていることを特徴とする請求項１から３の何れか一つに記載の内視鏡装置。
【発明の詳細な説明】
【技術分野】
【０００１】
本発明は、管腔内に挿入される挿入部の先端に発光ダイオード（ＬＥＤ）等の電気機器を備えている工業用及び医療用等の内視鏡装置に関する。
【背景技術】
【０００２】
一般に、工業用や医療用として使用されている内視鏡装置は、管腔内に挿入される長尺の挿入部を備えている。また、このような内視鏡装置においては、管腔内の観察対象を照明して観察や撮像を容易にするため、挿入部の先端に照明手段を備えている。近年においては、このような照明手段として、発光ダイオード（以下、ＬＥＤ）を採用したものが提案されている。
【０００３】
また、ＬＥＤ照明を備えて光学系を有する撮像アダプタを挿入部の先端に着脱自在とし、観察対象や用途に応じて互いに異なる光学系を有して予め用意された複数種類の中から最適の撮像アダプタを選択して交換使用を可能に構成した内視鏡装置も提案されている。この場合、ＬＥＤ照明を備えた撮像アダプタと挿入部との間に、電源供給用の接続構造として硬質の電極と伸縮するバネとを接触させる構造、あるいは、雄／雌のコネクタで接触させる構造といったメカニカルな構造が採用されている。（たとえば、特許文献１参照。）。
【０００４】
ところで、上述した内視鏡装置においては、用途の拡大等に伴い、挿入部の細径化が求められている。挿入部の外径は、一般的な内視鏡装置の１２〜１３ｍｍ程度から血管挿入等に使用される０．５ｍｍ程度のものまで細径化が進んできている。
このような背景から、ＬＥＤ照明等の電気機器を備えている撮像アダプタを挿入部の先端部に着脱して交換使用を可能にした内視鏡装置においては、電源供給や電気信号の送受信等を行うために着脱部の電気的な接続構造が問題となる。すなわち、電気的な接続を確実に行うことができる着脱構造であり、しかも、挿入部の細径化を妨げない接続構造の開発が求められている。
【０００５】
しかしながら、上記従来の技術では、バネの弾性力を確保するためには、バネに適当な剛性を付与する必要があるのである程度のバネの大きさが必要になってしまい、容易に小型化を図ることができない。
また、金属部材による接続構造は常時導電性を有しているので、例えば、バネが伸縮の際に径方向に湾曲する際、周囲に接触して漏電してしまう。そこで、これを防ぐために周囲を絶縁しなければならず、簡易な接続構造とするのが困難である。
【特許文献１】特開平１０−３２８１３１号公報
【発明の開示】
【発明が解決しようとする課題】
【０００６】
本発明は上記事情に鑑みて成されたものであり、撮像アダプタと挿入部との確実な導通を確保するとともに、挿入部をより一層細径化することができる電気的な接続構造を備える内視鏡装置を提供することを目的とする。
【課題を解決するための手段】
【０００７】
本発明は、上記課題を解決するため、以下の手段を採用する。
本発明に係る内視鏡装置は、電気機器が配され、管腔内に挿入される挿入部の先端部に着脱可能な撮像アダプタを備える内視鏡装置であって、前記電気機器と導通される第一の電極が、前記撮像アダプタに配され、前記挿入部に配されて、前記撮像アダプタの装着時に前記電気機器と導通される第二の電極の先端側の少なくとも一部に、押圧によって変形可能とされ、かつ、押圧方向に導電性を有する弾性部が配されていることを特徴とする。
【０００８】
この内視鏡装置は、撮像アダプタを挿入部先端に装着する際、撮像アダプタ側の第一の電極と、挿入部側の第二の電極とを同一方向に押圧することによって、第二の電極の先端側に配された弾性部が押圧方向に弾性変形させることができる。従って、押圧方向には通電させ、押圧方向以外の方向には通電させることができ、弾性部を介して第一の電極と第二の電極とを導通して、撮像アダプタの電気機器に電源供給することができる。
【０００９】
また、本発明に係る内視鏡装置は、前記内視鏡装置であって、前記第一の電極に、押圧方向に沿って凸部又は凹部が配され、前記第二の電極に、前記凸部が又は前記凹部に挿入して押圧可能な凹部又は凸部が配されていることを特徴とする。
この内視鏡装置は、第一の電極の凸部を第二の電極の凹部に、又は、第一の電極の凹部に第二の電極の凸部を挿入することによって、第一の電極と第二の電極とをより確実に圧接して、弾性部の導電性をより高めて電気的な接触状態を向上させることができる。
【００１０】
また、本発明に係る内視鏡装置は、前記内視鏡装置であって、前記第二の電極が、可撓性を有して前記弾性部と積層構造とされる基板を備えていることを特徴とする。
この内視鏡装置は、弾性部の押圧方向に沿って基板を積層することによって、弾性部と基板とを積層方向に密着させることができ、第二の電極内を導通状態とすることができる。
【００１１】
また、本発明に係る内視鏡装置は、前記内視鏡装置であって、前記基板と前記弾性部とが、導電性接着剤にて接着されていることを特徴とする。
この内視鏡装置は、弾性部が押圧されて押圧方向に導電性を有する状態となったときに、第二の電極内の導通状態をより好適に維持することができる。
【００１２】
また、本発明に係る内視鏡装置は、前記内視鏡装置であって、前記第二の電極が、前記弾性部の押圧方向を法線方向とする平面部を備えていることを特徴とする。
この内視鏡装置は、押圧の際に弾性部の接触面積をより大きく確保することができる。
【発明の効果】
【００１３】
本発明によれば、弾性部を配することによって、簡易な接続構造で撮像アダプタへ通電することができ、挿入部の電気的な接続部分の小型化・細径化を容易に行うことができる。
【発明を実施するための最良の形態】
【００１４】
本発明に係る第１の実施形態について、図１及び図２を参照して説明する。
本実施形態に係る内視鏡装置１は、細長な挿入部２を備えている内視鏡本体３と、この内視鏡本体３の挿入部２を巻回して収納するドラム部５とを主な構成要素としている。
内視鏡本体３は、ドラム部５を回動自在に収納するケース６内に格納、保管及び搬送される。
【００１５】
内視鏡本体３の挿入部２は観察対象の管腔内に挿入される柔軟で長尺な可撓管部７を備えている。
可撓管部７の先端には、照明等の電気機器が配されたアダプタ（撮像アダプタ）８が着脱可能とされた、硬質で管状に形成された本体先端部１０が配されている。
【００１６】
アダプタ８は所謂直視型のものであり、図２に示すように、対物レンズ１１がアダプタ８の軸線Ｃ方向に沿って配置されている。対物レンズ１１は、略円筒状に形成されたレンズ筒部１２の内部に収容され、複数のＬＥＤチップ１３が配されたＬＥＤユニット（電気機器）１５と共に円筒状に形成された外側部材１６内に収容されている。
【００１７】
レンズ筒部１２は、有底の厚肉円筒状の基部１２ａと、基部１２ａの底部１２ｂの先端面に同軸に延設された小径の円筒壁１２ｃと、基部１２ａの外周面の径方向外方に突出して環状に形成された外フランジ部１２ｄとを備えている。ＬＥＤユニット１５は外フランジ部１２ｄの先端側に配されている。
【００１８】
外側部材１６には、レンズ筒部１２を外側部材１６内に配した際、外フランジ部１２ｄよりも先端側に所定の距離だけ離間した位置に、径方向内方に突出した環状の内フランジ部１６ａが形成されている。そして、外側部材１６の先端には、透明円板からなるカバーガラス１７が係合されている。
【００１９】
ＬＥＤユニット１５は、軟質で円板状に形成され、複数のＬＥＤチップ１３が配されたフレキ基板１８と、アルミニウム等の金属からなりフレキ基板１８を支持する厚肉円板状の基板保持部２０とを備えており、フレキ基板１８に電源供給する第一の電極２１と接続されている。
【００２０】
第一の電極２１は、基板保持部２０と外側部材１６との間に配され、可撓性を有して薄板状に形成されたフレキ配線２２と、外フランジ部１２ｄに沿って折り曲げられたフレキ配線２２の一端２２ａ側をアダプタ８の基端側から外フランジ部１２ｄに圧接可能にドーナツ状に形成された第一の導電ゴム２３とを備えている。また、フレキ配線２２の他端２２ｂ側は外側部材１６の径方向内方に向かって折り曲げられており、内フランジ部１６ａとの間に配された円板状の弾性部材２５によって押圧されてフレキ基板１８に配されたＬＥＤ電極２６と接触可能とされている。
【００２１】
第一の導電ゴム２３は、シリコンゴム等の絶縁性のゴム素材に、ニッケル粒子や金メッキを施した金属粒子等の導電部材をドット状に埋設して構成されたものとされ、通常、ドットタイプの異方導電性ゴム等と呼ばれている。この第一の導電ゴム２３は、弾性体であるゴム素材を厚さ方向に押圧すると、その圧縮変形によって高密度化した導電部材間の導電性が増し、それによって厚み方向の通電が許容されるようになる。この際、ゴム素材が絶縁部材であることから、ゴム素材の厚み方向以外の方向（例えば、周方向）については絶縁状態が維持される。
第一の導電ゴム２３の内径がレンズ筒部１２と嵌合可能に形成され、外径が外側部材１６と嵌合可能に形成されている。
【００２２】
外側部材１６の基端部には、第一の導電ゴム２３を軸方向先端側に押圧した状態で連結部材２７が嵌合され、円筒状の接続リング２８が軸方向及び回転方向に変位可能に連結部材２７の突出端に外嵌されている。接続リング２８の内周面には、第一の雌ねじ２８Ａと第二の雌ねじ２８Ｂとが軸方向に所定距離だけ離間して設けられている。
【００２３】
本体先端部１０には、ドラム部５内の図示しない電源（バッテリ等）からの電気配線３０と接続されて、アダプタ８の装着時にＬＥＤユニット１５と導通される第二の電極３１と、内視対象物を対物レンズ１１を介して結像させるＣＣＤ３２とが配されている。
第二の電極３１は、軸線Ｃ方向先端側に配されてアダプタ８装着時に第一の導電ゴム２３と接触可能とされる第二の導電ゴム（弾性部）３３と、可撓性を有して第二の導電ゴム３３と軸線Ｃ方向に積層構造とされる電極基板（基板）３５とを備えている。
【００２４】
第二の導電ゴム３３は、第一の導電ゴム２３と同様にドーナツ状に形成されており、第一の導電ゴム２３と同様の構造を有している。
第二の導電ゴム３３を本体先端部１０内に配した際、その先端側端面３３Ａは、本体先端部１０の先端面１０Ａから突出して配されている。このときの突出量は、アダプタ８装着時に第二の導電ゴム３３が圧縮変形した際、本体先端部１０の先端面１０Ａと略同一位置となるように調整されている。また、第二の導電ゴム３３の外径は、本体先端部１０と嵌合可能な大きさとされている。
【００２５】
電極基板３５は、アダプタ８装着時の押圧方向を法線方向とする円板状の平面部３６と、電気配線３０と電気的に接続された端子部３７、３８とを備えている。端子部３７、３８は、平面部３６の周端部の一部が径方向外方に突出して形成された部分が基端側に向かって折り曲げられて形成されている。
【００２６】
平面部３６は、後述するＣＣＤ支持部４０の外周面に形成された後述するフランジ部４１と第二の導電ゴム３３との間に配されており、第二の導電ゴム３３と面接触可能とされる先端側端面３６Ａには、端子部３７、３８とそれぞれ接続された電極パターン４２、４３が形成されている。
【００２７】
本体先端部１０の外周面には、第一の雌ねじ２８Ａ及び第二の雌ねじ２８Ｂと螺合可能な固定用の雄ねじ４５が設けられている。そして、この雄ねじ４５に対して接続リング２８の第一の雌ねじ２８Ａと第二の雌ねじ２８Ｂとを順次螺合することにより、アダプタ８を本体先端部１０に連結する。即ち、アダプタ８の接続リング２８を本体先端部１０に嵌合し、その状態のまま接続リング２８を所定方向に回転させると、雄ねじ４５が第一の雌ねじ２８Ａ、さらに、第二の雌ねじ２８Ｂに順次締め込まれるようにされている。
本体先端部１０の内側には、略円筒状に形成されてＣＣＤ３２を内部で把持するＣＣＤ支持部４０が配されている。ＣＣＤ支持部４０の外周面には、径方向外方に突出してフランジ部４１が配されている。
【００２８】
次に、本実施形態に係る内視鏡装置１において、挿入部２にアダプタ８を着脱する際に得られる作用・効果について説明する。
まず、本体先端部１０の雄ねじ４５にアダプタ８の接続リング２８の第一の雌ねじ２８Ａを螺合する。
さらに螺合させると、第一の雌ねじ２８Ａは、雄ねじ４５が第二の雌ねじ２８Ｂに締め込まれた後には雄ねじ４５との螺合が外れるが、この第一の雌ねじ２８Ａは、雄ねじ４５と第二の雌ねじ２８Ｂとの螺合が万が一緩んだときに脱落防止用のストッパとして機能する。
【００２９】
このとき、第二の導電ゴム３３の先端側端面３３Ａが第一の導電ゴム２３を軸方向に押圧するため、第一の導電ゴム２３及び第二の導電ゴム３３とが、それぞれ軸方向に圧縮変形するとともに径方向に伸びようとして、軸方向及び径方向にそれぞれ弾性力を生じる。
その際、第二の導電ゴム３３に生じた軸方向の弾性力が、電極基板３５の平面部３６を基端側に押圧する一方、平面部３６はＣＣＤ支持部４０のフランジ部４１によって基端側への移動が規制されているので、平面部３６の電極パターン４２、４３と第二の導電ゴム３３とが密着する。
【００３０】
こうして、電極基板３５と第二の導電ゴム３３とが導通状態となる。
一方、第二の導電ゴム３３は、本体先端部１０の内壁及びＣＣＤ支持部４０の外周面を押圧してこれらを密着状態とする。
【００３１】
アダプタ８内においては、第一の導電ゴム２３がレンズ筒部１２の外フランジ部１２ｄ、フレキ配線２２、及び、基板保持部２０を軸方向先端側に押圧する。しかし、外側部材１６の内フランジ部１６ａによって軸方向先端側への移動が規制され、第一の導電ゴム２３と弾性部材２５とに発生した軸方向の弾性力によって、第一の導電ゴム２３とフレキ配線２２の一端２２ａと、及び、ＬＥＤ電極２６とフレキ配線２２の他端２２ｂとがそれぞれ密着して導通状態となる。
こうして、電気配線３０とＬＥＤユニット１５とが導電され、図示しない電源からＬＥＤユニット１５に電源供給可能な状態となる。
【００３２】
この内視鏡装置１によれば、アダプタ８を挿入部２の本体先端部１０に装着して、アダプタ８側の第一の電極２１と、挿入部２側の第二の電極３１とを接触させる際、第一の電極２１と第二の電極３１とを軸方向に押圧することによって、押圧方向以外の方向には通電させることなく第二の導電ゴム３３を介して両者を導通させることができる。従って、簡易な接続構造でＬＥＤユニット１５に電源供給することができ、容易に細径化を図ることができる。
【００３３】
また、第一の導電ゴム２３及び第二の導電ゴム３３の押圧方向に沿って電極基板３５を積層させているとともに、平面部３６によって電極基板３５と第二の導電ゴム３３との密着性が高い状態とされているので、第二の導電ゴム３３と電極基板３５とを軸方向により容易に密着させて電極基板３５に通電することができる。
さらに、本体先端部１０から水等の液体が内部に浸入しようとしても、第二の導電ゴム３３が本体先端部１０の内壁に密着していることからこれを封止することができる。
【００３４】
次に、第２の実施形態について図３〜図５を参照しながら説明する。
なお、上述した第１の実施形態と同様の構成要素には同一符号を付すとともに説明を省略する。
第２の実施形態と第１の実施形態との異なる点は、本実施形態に係る内視鏡装置５０の第一の電極５１の押圧方向に凸部５２が配され、第二の電極５３に、凸部５２が挿入して押圧可能な凹部５５が配されているとした点である。
【００３５】
アダプタ５６の第一の電極５１は、第一の導電ゴム５７と、第一の導電ゴム５７とフレキ基板１８とを導通させる基板状電極５８とを備えている。
基板状電極５８は、円板状の基板部６０と、基板部６０から先端側に延びて一端がフレキ基板１８と電気的に接続される電線部材６１とを備えている。基板部６０の基端側端面６０Ａには、電極パターン４２、４３が配され、それぞれの中心部には内周面に導電体が被覆されたスルーホール６２が形成されている。スルーホール６２は電気配線３０と同軸線Ｃ１との交点位置に配されている。
【００３６】
電線部材６１の一端は、スルーホール６２に接続され、他端は、レンズ筒部６３の外側フランジ部６３ａ及び基板保持部６５を貫通してフレキ基板１８まで延びて配されている。
凸部５２は金属製とされ、第一の導電ゴム５７の基端側端面５７Ａに、軸線Ｃ１に沿って基端側に突出するように接着されている。
【００３７】
本体先端部６６内では、第二の電極５３が、電気配線３０と接続された第一のフレキ基板（基板）６８と、ドーナツ状に形成された第二の導電ゴム７０と、電極パターン４２、４３が形成された第二のフレキ基板（基板）７１と、本体先端部６６の先端面６６Ａを覆う先端カバー７２とを備えており、これらが軸線Ｃ方向の基端側から先端側に向かって、円筒状に形成されたＣＣＤ支持部７３に沿って順に積層されている。
【００３８】
第一のフレキ基板６８は、可撓性を有し、ＣＣＤ支持部７３が中央部を貫通可能に環状に形成されている。この第一のフレキ基板６８には、軸線Ｃ１との交点位置にスルーホール６２が配されており、電気配線３０の先端部が第一のフレキ基板６８のスルーホール６２を基端側から先端側に貫通した状態で接続されている。
【００３９】
第二のフレキ基板７１も第一のフレキ基板６８と同様に環状に形成されており、先端側端面７１Ａには、第一の導電ゴム５７に配された凸部５２と接触可能な位置に電極パターン４２、４３が形成されている。
先端カバー７２もＣＣＤ支持部７３が中央部を貫通可能な環状に形成されており、軸線Ｃ１との交点位置には、第一の導電ゴム５７の凸部５２が軸方向に貫通可能とされるとともに、第二のフレキ基板７１における電極パターン４２、４３よりも大きい面積を有する孔部７５が配されている。従って、先端カバー７２と第二のフレキ基板７１とを軸方向に積層することによって、孔部７５を凸部５２が挿入可能な凹部５５として機能させることができる。
【００４０】
可撓管部７６は、さらに、本体先端部６６の内側に嵌合可能な小径円筒部７６Ａと、本体先端部６６よりも大きい径を有する大径円筒部７６Ｂとを備えている。可撓管部７６と本体先端部６６とは、小径円筒部７６Ａにてネジ止めされている。
第一のフレキ基板６８、第二の導電ゴム７０、第二のフレキ基板７１、及び、先端カバー７２の外径は何れも本体先端部６６の内径と略同一の大きさとされている。これらは、本体先端部６６の先端面に径方向内方に突出して形成された鉤部６６Ａによって軸方向先端への移動が規制される。一方、第二のフレキ基板７１が弾性を有する押さえ部材７７を介して小径円筒部７６Ａに係止されているので、第一のフレキ基板６８、第二の導電ゴム７０、第二のフレキ基板７１、及び、先端カバー７２は、軸方向基端への移動が規制されている。
【００４１】
次に、本実施形態に係る内視鏡装置５０の作用・効果について説明する。
まず、第１の実施形態と同様に、本体先端部６６の雄ねじ４５とアダプタ５６の接続リング２８とを螺合してアダプタ５６を本体先端部６６に装着する。
このとき、第一の導電ゴム５７の凸部５２が、先端カバー７２の孔部７５を貫通し、第二のフレキ基板７１の電極パターン４２、４３を基端側に押圧する。このとき、第二の導電ゴム７０は、小径円筒部７６Ａによって軸方向基端側への移動が規制されているので、第一のフレキ基板６８、第二の導電ゴム７０、第二のフレキ基板７１とが軸方向に互いに圧接され、第二の導電ゴム７０と各フレキ基板６８、７１における電極パターン４２、４３とが互いに導通状態となる。
一方、第二の導電ゴム７０は、径方向外方に延びようとするため、第１の実施形態と同様に第二の導電ゴム７０より基端側の本体先端部６６内を封止する。
【００４２】
アダプタ５６側では、第一の導電ゴム５７と基板状電極５８の電極パターン４２、４３とが密着状態となって、第一の導電ゴム５７とフレキ基板１８とが導通状態となる。
なお、第一の導電ゴム５７の凸部５２は、先端カバー７２の孔部７５に収納されているので、外部と遮断された状態となって保護される。
【００４３】
この内視鏡装置５０によれば、第一の電極５１における第一の導電ゴム５７の凸部５２を第二の電極５３における先端カバー７２の孔部７５に挿入して第一のフレキ基板６８を押圧することによって、第一の電極５１と第二の電極５３とをより圧接して電気的な接触状態を向上させることができ、第１の実施形態と同様の効果を得ることができる。
【００４４】
次に、第３の実施形態について図６及び図７を参照しながら説明する。
なお、上述した他の実施形態と同様の構成要素には同一符号を付すとともに説明を省略する。
第３の実施形態と上記他の実施形態との異なる点は、本実施形態に係る内視鏡装置８０の第一の電極８１において、凸部８２がフレキ基板１８に接続されたロッド８３の端部とされ、第二の電極８４が、ＣＣＤ支持部４０に沿って先端側に向かって順に配された電極基板３５と、第二の導電ゴム７０、第二のフレキ基板７１、及び、先端カバー８５とを備えているとした点である。
【００４５】
アダプタ８６は、上記他の実施形態における外側部材１６、レンズ筒部１２又は６３、及び、ＬＥＤユニット１５の基板保持部２０とが一体とされた先端部材８７を備えている。第一の電極８１におけるロッド８３は、先端部材８７内を軸方向に貫通して設けられるとともに絶縁膜８８によって内面が被膜された通路９０内を貫通して配されており、接着固定部９１を介してフレキ基板１８のＬＥＤ電極２６に接続されている。
先端部材８７の基端面には、先端カバー８５と当接させる際の衝撃を緩和させるシート９３が配されている。
先端カバー８５の孔部８５ａは、ロッド８３が貫通可能な大きさとされている。
【００４６】
次に、本実施形態に係る内視鏡装置８０において、アダプタ８６を本体先端部９２に装着する場合の作用・効果について説明する。
まず、上記他の実施形態と同様に、本体先端部９２とアダプタ８６の接続リング２８とを螺合する。
【００４７】
この際、ロッド８３端部の凸部８２が、先端カバー８５の孔部８５ａを貫通して第二のフレキ基板７１の電極パターン４２、４３を基端側に押圧する。一方、第二の導電ゴム７０及び電極基板３５とがＣＣＤ支持部４０のフランジ部４１によって軸線Ｃ方向の移動が規制されているので、電極パターン４２、４３と第二の導電ゴム７０とが圧接されて電気的に接触する。
【００４８】
このとき、シート９３を介して先端カバー８５と先端部材８７とが密着して、外部からロッド８３を遮断する。
一方、第二の導電ゴム７０は、径方向外方に延びようとするため、第１の実施形態と同様に連結部材２７の内壁面を押圧して第二の導電ゴム７０より基端側の本体先端部９２内を封止する。
この内視鏡装置８０によれば、上記他の実施形態と同様の作用・効果を得ることができる。
【００４９】
次に、第４の実施形態について図８を参照しながら説明する。
なお、上述した他の実施形態と同様の構成要素には同一符号を付すとともに説明を省略する。
第４の実施形態と上記他の実施形態との異なる点は、本実施形態に係る内視鏡装置１００の第一の電極１０１が、第１の実施形態に係るフレキ配線２２の代わりに、第２の実施形態に係る電線部材６１と、基端側端面１０３Ａから突出して円環状の第一の凸部１０２が配された第一の導電ゴム１０３とを備えており、第二の電極１０５に係る第二の導電ゴム１０６が、第１の実施形態に係る第二の導電ゴム３３のように本体先端部１０の先端面１０Ａから突出して配される代わりに、先端側端面１０６Ａに、円環状に形成された第二の凸部１０７が突出して配されているとした点である。
【００５０】
第一の凸部１０２及び第二の凸部１０７は、それぞれ第一の導電ゴム１０３、第二の導電ゴム１０６と一体に形成されており、互いに当接可能な位置であるとともに軸線Ｃ１との交点位置を通る円周に沿って配されている。
なお、第一の凸部１０２又は第二の凸部１０７の少なくとも一方を金属製として接着したものとしても構わない。この場合、常に導電性を有していることから、中央部分で二分して配するものとする。
【００５１】
また、第一の凸部１０２と第一の導電ゴム１０３とは一体的に作られたものでも、両者を導電性接着剤を介して接着させたものでもよい。接着剤で接着する場合は、全面を接着させるのではなく、第一の電極１０１に係る基板部６０の図示しない電極周辺部のみを接着させる。
【００５２】
この内視鏡装置１００によれば、アダプタ１０８を本体先端部１０に装着した際、第一の凸部１０２と第二の凸部１０７とが密着した状態となる。従って、他の実施形態と同様の作用・効果を奏することができるとともに、密着部位を第一の凸部１０２と第二の凸部１０７とに限定することができ、第一の導電ゴム１０３と第二の導電ゴム１０６とをより確実に密着させることができる。
【００５３】
次に、第５の実施形態について図９及び図１０を参照しながら説明する。
なお、上述した他の実施形態と同様の構成要素には同一符号を付すとともに説明を省略する。
第５の実施形態と上記他の実施形態との異なる点は、本実施形態に係る内視鏡装置１２０の第一の電極１２１に係る基板状電極１２２が、レンズ筒部６３の基端よりもさらに基端側に突出して配され、第一の導電ゴムを介さずに本体先端部１２３に配された第二の導電ゴム７０と直接接触可能とされている点である。
【００５４】
また、本体先端部１２３は、厚肉円筒部１２５と、厚肉円筒部１２５の内径と略同一の内径とされてその先端に接続された薄肉円筒部１２６とを備えており、ＣＣＤ３２は、厚肉円筒部１２５及び薄肉円筒部１２６の中央部に支持されている。
【００５５】
第二の電極１２７は、電気配線３０の先端に接続された端子部材１２８を備え、厚肉円筒部１２５の軸方向に貫通して形成された通路１３０を貫通して第一のフレキ基板６８に接続されている。
第二の導電ゴム７０は、薄肉円筒部１２６の外周面に接触して配されており、その先端側端面７０Ａは、本体先端部１２３の先端面１２３Ａと同一位置とされている。
【００５６】
アダプタ１３１を本体先端部１２３に装着する際、アダプタ１３１側の基板状電極１２２に形成された電極パターン４２、４３と第二の導電ゴム７０とが接触する。このとき、第二の導電ゴム７０が軸方向に圧縮されてその方向に導通状態とされるとともに、径方向外方に拡がろうとしてアダプタ１３１の連結部材２７の内壁面を押圧する。
【００５７】
こうして、第一の電極１２１と第二の電極１２７とが導通状態となるとともに、第二の導電ゴム７０によって本体先端部１２３の内部が封止された状態となる。
この内視鏡装置１２０によれば、上記他の実施形態と同様の効果を奏することができる。
【００５８】
次に、第６の実施形態について図１１及び図１２を参照しながら説明する。
なお、上述した他の実施形態と同様の構成要素には同一符号を付すとともに説明を省略する。
第６の実施形態と第５の実施形態との異なる点は、本実施形態に係る内視鏡装置１４０の第一の電極１４１に係る第一の導電ゴム１４２が、連結部材１４３に対して着脱自在に配され、第二の電極１４５が、第一のフレキ基板６８と第二の導電ゴム７０とを備える代わりに第二のフレキ基板７１は有しないとした点である。
【００５９】
第一の導電ゴム１４２の外径は、連結部材１４３の内径よりも大きい径とされ、連結部材１４３の内壁面には、第二の導電ゴム７０が係合可能な溝１４３Ａが形成されている。また第一の導電ゴム１４２の内径は、本体先端部１２３の薄肉円筒部１２６に嵌合可能な大きさとされている。
【００６０】
第二の電極１４５における第一のフレキ基板６８及び第二の導電ゴム７０は、上記第５の実施形態と同様に本体先端部１４６の薄肉円筒部１２６上に配設されているが、本体先端部１４６の先端面１４６Ａから第一の導電ゴム１４２の厚さ分だけ基端側に移動した状態に配されている。
【００６１】
アダプタ１４７を本体先端部１２３に装着する際、第一の導電ゴム１４２を連結部材１４３の溝１４３Ａに係合させる。そして、接続リング２８を締め付けて装着したとき、第一の導電ゴム１４２が、本体先端部１２３の薄肉円筒部１２６と嵌合するとともに、軸方向に押圧されて基板状電極１２２と第二の導電ゴム７０とを密着する。
【００６２】
一方、第二の導電ゴム７０は、第一の導電ゴム１４２と基板状電極５８の基板部６０とを密着する。
また、それぞれの導電ゴム１４２、７０は、径方向外方に伸びようとして連結部材１４３の内壁面を押圧して本体先端部１４６内を封止する。
この内視鏡装置１４０によれば、上記他の実施形態と同様の作用が得られるとともに、第一の導電ゴム１４２及び第二の導電ゴム７０に生じる径方向への弾性力によって、特に、外部から本体先端部１４６内への液体等の流入をより好適に抑えることができる。
また、第一の導電ゴム１４２を着脱自在とすることによって、本体先端部１２３に対してアダプタ１４７の着脱を繰り返すうちに第一の導電ゴム１４２が摩耗、破損等しても、新しいものに容易に交換することができる。
【００６３】
次に、第７の実施形態について図１３及び図１４を参照しながら説明する。
なお、上述した他の実施形態と同様の構成要素には同一符号を付すとともに説明を省略する。
第７の実施形態と上記他の実施形態との異なる点は、本実施形態に係る内視鏡装置１５０の第一の電極１５１に係る基板状電極１５２の基板部１５３に、電極パターン４２、４３の代わりに一対の凸部電極１５５、１５６が配されているとした点である。
【００６４】
凸部電極１５５、１５６は、第４の実施形態に係る第一の導電ゴム１０３に形成された第一の凸部１０２と同様に基板部１５３の基端側端面１５３Ａから基端側に突出して配されるとともに、中央部分で２分されて互いに離間した状態で形成されている。凸部電極１５５、１５６の径方向外方には、凸部電極１５５、１５６を内側に包囲する円環状のシート部１５７が配されている。このシート部１５７は、凸部電極１５５、１５６よりも薄く形成されており、弾性変形可能とされている。
【００６５】
本体先端部１６０は、厚肉円筒部１２５と薄肉円筒部１２６とを覆う円筒状の本体外側部材１６１を備えている。本体外側部材１６１は、さらに、第二の電極１５８を内部に収納する本体前部材１６２と、これを螺合して挿入部側に接続される本体後部材１６３とを備えている。
第二の電極１５８に係る第二の導電ゴム７０の薄肉円筒部１２６上の配設位置が、本体先端部１６０の先端面１６０Ａから凸部電極１５５、１５６の突出高さ分、基端側に移動した位置に配されている。
【００６６】
アダプタ１６１を本体先端部１６０に装着する際、凸部電極１５５、１５６と第二の導電ゴム７０とが当接して互いに押圧される。そして、接続リング２８を締め付けると本体先端部１６０の先端面１６０Ａがシート部１５７に当接してシート部１５７が圧縮変形する。
この状態で、凸部電極１５５、１５６と第二の導電ゴム７０とが導通状態となって、第一の電極１５１と第二の電極１５８とが導通状態となる。
【００６７】
一方、第二の導電ゴム７０が径方向外方に伸びようとして本体先端部１６０の内壁面を押圧するので、第二の導電ゴム７０から基端側が外部から封止される。また、シート部１５７の圧縮変形によって、基板状電極１５２よりも先端側も外部から封止される。
本実施形態に係る内視鏡装置１５０によれば、上記他の実施形態と同様の作用・効果を奏することができる。
【００６８】
なお、本発明の技術範囲は上記実施の形態に限定されるものではなく、本発明の趣旨を逸脱しない範囲において種々の変更を加えることが可能である。
例えば、上記実施形態では、電極基板と第二の導電ゴムとが物理的に常に接続された状態とはされていないが、図１５に示すように、電極基板３５の平面部３６に形成された電極パターン４２、４３よりも大きい範囲とされてこれらを覆う塗布領域１６５に導電性接着剤を塗布して第二の導電ゴム３３と接着させてもよい。
【００６９】
この場合、導電性接着剤の塗布領域１６５は、電極パターン４２、４３の周囲で互いに重ならないような大きさとされている。
この内視鏡装置１７０によれば、第二の導電ゴム３３と電極基板３５とを物理的に接続してしまうので、第二の導電ゴム３３の押圧時に、接触不良等をより好適に抑えることができる。
【００７０】
また、図１６に示すように、レンズ筒部１７５を略円筒状に形成し、第１の実施形態に係るフレキ配線２２の代わりに、フレキ基板１８と第一の導電ゴム２３とを導通させる配線パターン１７６をレンズ筒部１７５の側面に形成させたものとしても構わない。
レンズ筒部１７５の先端側端面１７５Ａと基端側端面１７５Ｂとの両方には、フレキ基板１８と第一の導電ゴム２３とのそれぞれに電気的に接触可能な接点１７７が配されている。
この場合、アダプタ１７８を構成する部品点数を減らすことができ、より簡易な構成として小型細径化を図ることができる。
【図面の簡単な説明】
【００７１】
【図１】本発明の第１の実施形態に係る内視鏡装置を（ａ）分解した状態を示す斜視図、（ｂ）組立て、収納した状態を示す斜視図である。
【図２】本発明の第１の実施形態に係る内視鏡装置を示す（ａ）縦断面図、（ｂ）アダプタを示す透視斜視図、（ｃ）分解斜視図である。
【図３】本発明の第２の実施形態に係る内視鏡装置を示す（ａ）正面図、（ｂ）Ａ−Ａ断面図である。
【図４】本発明の第２の実施形態に係る内視鏡装置を示す分解斜視図である。
【図５】本発明の第２の実施形態に係る内視鏡装置のアダプタ装着状態を示す縦断面図である。
【図６】本発明の第３の実施形態に係る内視鏡装置を示す（ａ）縦断面図、（ｂ）分解斜視図である。
【図７】本発明の第３の実施形態に係る内視鏡装置を示すアダプタ装着時の縦断面図である。
【図８】本発明の第４の実施形態に係る内視鏡装置を示す（ａ）縦断面図、（ｂ）分解斜視図、（ｃ）分解斜視図である。
【図９】本発明の第５の実施形態に係る内視鏡装置を示す（ａ）縦断面図、（ｂ）分解斜視図である。
【図１０】本発明の第５の実施形態に係る内視鏡装置を示すアダプタ装着時の縦断面図である。
【図１１】本発明の第６の実施形態に係る内視鏡装置を示す縦断面図である。
【図１２】本発明の第６の実施形態に係る内視鏡装置のアダプタ装着状態を示す縦断面図である。
【図１３】本発明の第７の実施形態に係る内視鏡装置を示す（ａ）要部分解斜視図、（ｂ）挿入部側分解斜視図である。
【図１４】本発明の第７の実施形態に係る内視鏡装置のアダプタ装着状態を示す縦断面図である。
【図１５】本発明の他の実施形態に係る内視鏡装置を示す要部分解斜視図である。
【図１６】本発明の他の実施形態に係る内視鏡装置を示す要部分解斜視図である。
【符号の説明】
【００７２】
１、５０、８０、１００、１２０、１４０、１５０、１７０  内視鏡装置
２  挿入部
８、５６、８６、１０８、１３１、１４７、１７８  アダプタ（撮像アダプタ）
１５  ＬＥＤユニット（電気機器）
２１、５１、８１、１０１、１２１、１４１、１５１  第一の電極
３１、５３、８５、１０５、１２７、１４５、１５８  第二の電極
３３、７０、１０６  第二の導電ゴム（弾性部）
３５  電極基板（基板）
３６  平面部
５２、８２  凸部
５５  凹部
６８  第一のフレキ基板（基板）
７１  第二のフレキ基板（基板）
【図１】
2006102050.tif 000003
【図２】
2006102050.tif 000004
【図３】
2006102050.tif 000005
【図４】
2006102050.tif 000006
【図５】
2006102050.tif 000007
【図６】
2006102050.tif 000008
【図７】
2006102050.tif 000009
【図８】
2006102050.tif 000010
【図９】
2006102050.tif 000011
【図１０】
2006102050.tif 000012
【図１１】
2006102050.tif 000013
【図１２】
2006102050.tif 000014
【図１３】
2006102050.tif 000015
【図１４】
2006102050.tif 000016
【図１５】
2006102050.tif 000017
【図１６】
2006102050.tif 000018